(57)【要約】【課題】ワイヤーの本数を減らして対物レンズの微調整に際する感度を高めるとともに部品数を削減して組立作業を容易にした光ピックアップ用アクチュエータを提供すること。【解決手段】アクチュエータベース２１に固定したダンパベース２２に対し、対物レンズ６を保持したレンズホルダ２４を、バネ剛性をもつ４本のワイヤー２３ａ，２３ｂ，２３ｃ，２３ｄにより可動に支持した。レンズホルダをアクチュエータベースに対して移動させる複数のコイルを備えた。これらのワイヤーのうちの３本のワイヤー２３ａ，２３ｂ，２３ｃをそれらのコイルの給電線として使用し、残りの１本のワイヤー２３ｄをそれらのコイルのグランド線として使用した。【選択図】　　　　図３
2004005822.tif 000002
【特許請求の範囲】
【請求項１】
ベース部材と、レンズホルダと、前記レンズホルダを前記ベース部材に可動に支持したホルダ支持機構と、前記レンズホルダに保持された対物レンズと、前記レンズホルダを前記ベース部材に対して移動させる調整駆動装置とを含み、前記ホルダ支持機構は、一端が前記ベース部材に保持されかつ他端が前記レンズホルダに保持されたバネ剛性をもつ複数のワイヤーよりなり、前記複数のワイヤーは、少なくとも１本がグランドと接続されて前記調整駆動装置の給電線として使用したことを特徴とする光ピックアップ用アクチュエータ。
【請求項２】
前記ホルダ支持機構は、前記対物レンズの光軸に沿ったフォーカス方向、前記フォーカス方向に交差するトラック方向、及び前記フォーカス方向と前記トラック方向とに交差する方向にのびた所定軸心の周りのチルト方向の各々において前記レンズホルダを移動可能に支持したものである請求項１に記載の光ピックアップ用アクチュエータ。
【請求項３】
前記調整駆動装置は、マグネットと、通電時に前記マグネットと協働し、前記トラック方向、前記フォーカス方向、及び前記チルト方向において前記レンズホルダに移動力を与える複数のコイルとを有し、前記給電線として使用されるワイヤーを前記複数のコイルにそれぞれ接続し、前記グランド線として使用されるワイヤーを前記複数のコイルに共通に接続した請求項２に記載の光ピックアップ用アクチュエータ。
【発明の詳細な説明】
【０００１】
【発明の属する技術分野】
本発明は、光ディスクドライブ等に備えられる光ピックアップに関し、特に、対物レンズを変位可能にした光ピックアップ用アクチュエータに関する。
【０００２】
【従来の技術】
最近では、パーソナルコンピュータ等の電子機器には光ディスクドライブが搭載されることが多い。光ディスクドライブに使用可能な記録媒体の１つとしてＣＤ−Ｒ（ｃｏｍｐａｃｔ　ｄｉｓｃ　ｒｅｃｏｒｄａｂｌｅ）及びＣＤ−ＲＷ（ｃｏｍｐａｃｔ　ｄｉｓｃ　ｒｅｗｒｉｔａｂｌｅ）が知られている。ＣＤ−Ｒは追記が繰り返し可能な記録媒体である。ＣＤ−ＲＷは書き換え可能な記録媒体である。これらの記録媒体はＣＤ−ＲＯＭやオーディオＣＤ（ＣＤ−ＤＡ）と互換性がある。ＣＤ−Ｒ、ＣＤ−ＲＷへの書込みには専用の装置と書込み用アプリケーションが必要であるが、ＣＤ−Ｒ、ＣＤ−ＲＷからの読出しは通常のＣＤ−ＲＯＭドライブで実行できる。ＣＤ−Ｒ、ＣＤ−ＲＷ、ＣＤ−ＲＯＭ、オーディオＣＤ、及びＤＶＤ−ＲＯＭ、ＤＶＤ−Ｒ，ＤＶＤ−ＲＡＭ等をここでは纏めて光ディスクと呼ぶ。
【０００３】
このような光ディスクにデータを記録したり再生したりするには、光ピックアップが使用される。その光ピックアップは、光ディスクに対向して配置される対物レンズをもつアクチュエータ、即ち、光ピックアップ用アクチュエータを備えている。
【０００４】
光ピックアップ用アクチュエータにおいては、対物レンズの光軸に沿ったフォーカス方向とフォーカス方向に交差するトラック方向とで対物レンズの位置を微調整可能にする必要がある。さらに、光ディスクドライブの駆動時に引き起こされる光ディスクの所謂面ブレに追従するために、フォーカス方向とトラック方向とに交差する方向にのびた所定軸心の回りのチルト方向でも対物レンズの角度を微調整可能にすることが望ましい。
【０００５】
これらの方向での微調整を可能にするため、対物レンズを保持したレンズホルダをホルダ支持機構によりベース部材に可動に保持している。そして、調整駆動装置によりレンズホルダを必要に応じて動かし、これにより対物レンズの位置や角度の微調整を行う。
【０００６】
フォーカス方向及びトラック方向に加えチルト方向でもレンズホルダを動かすために、それらの方向に一対ずつ対応した合計３対の導電性のワイヤーを通して調整駆動装置の対応するコイルにそれぞれ通電する。しかも、それらのワイヤーをバネ剛性をもつものとし、ホルダ支持機構として使用している。即ち、従来の光ピックアップは、バネ剛性をもつ６本のワイヤー−によってレンズホルダをベース部材に保持している。
【０００７】
【発明が解決しようとする課題】
しかし、ワイヤーを６本も使用するため、支持機構全体としてバネ剛性が大きくなって対物レンズの微調整に際する感度が低下したり、部品点数が多くなり、そのため組立作業が複雑化する等の問題が発生している。
【０００８】
それ故に本発明の課題は、ワイヤーの本数を減らして対物レンズの微調整に際する感度を高めるとともに部品数を削減して組立作業を容易にした光ピックアップ用アクチュエータを提供することにある。
【０００９】
【課題を解決するための手段】
本発明によれば、ベース部材（２１，２２）と、レンズホルダ（２４）と、前記レンズホルダを前記ベース部材に可動に支持したホルダ支持機構（２３）と、前記レンズホルダに保持された対物レンズ（６）と、前記レンズホルダを前記ベース部材に対して移動させる調整駆動装置（３１，３３，３７，３８，３９）とを含み、前記ホルダ支持機構は、一端が前記ベース部材に保持されかつ他端が前記レンズホルダに保持されたバネ剛性をもつ複数のワイヤー（２３ａ，２３ｂ，２３ｃ，２３ｄ）よりなり、前記複数のワイヤーは、少なくとも１本（２３ｄ）がグランドと接続されて前記調整駆動装置の給電線として使用したことを特徴とする光ピックアップ用アクチュエータが得られる。
【００１０】
前記ホルダ支持機構は、前記対物レンズの光軸に沿ったフォーカス方向（Ａ２）、前記フォーカス方向に交差するトラック方向（Ａ３）、及び前記フォーカス方向と前記トラック方向とに交差する方向にのびた所定軸心の周りのチルト方向（Ａ４）の各々において前記レンズホルダを移動可能に支持したものでもよい。
【００１１】
前記調整駆動装置は、マグネット（３１，３３）と、通電時に前記マグネットと協働し、前記トラック方向、前記フォーカス方向、及び前記チルト方向において前記レンズホルダに移動力を与える複数のコイル（３７，３８、３９）とを有し、前記給電線として使用されるワイヤー（２３ａ，２３ｂ，２３ｃ）を前記複数のコイルにそれぞれ接続し、前記グランド線として使用されるワイヤー（２３ｄ）を前記複数のコイルに共通に接続してもよい。
【００１２】
上記括弧内の符号は、理解を容易にするために付したものであり、一例にすぎず、これらに限定されない。
【００１３】
【発明の実施の形態】
図１を参照して、光ピックアップの概要について説明する。
【００１４】
図示の光ピックアップは、パーソナルコンピュータ等の電子機器に搭載される光ディスクドライブに使用可能なものであり、レーザビームを発生する半導体レーザであるレーザダイオード１を発光素子として用いている。レーザダイオード１から発せられたレーザビームはビームスプリッタ２により分岐され、一部はモニタ装置３に入射する。レーザビームの他部はコリメートレンズ４、立ち上げミラー５、及び対物レンズ６を介して光ディスク７を照射する。モニタ装置３はレーザビームの強度を検出する。検出された強度は、レーザダイオード１の駆動の制御に使用される。こうして、レーザダイオード１から発せられたレーザビームを用いて光ディスク７にデータを記録できるようにしている。
【００１５】
また、光ディスク７からの反射光は、対物レンズ６、立ち上げミラー５、コリメートレンズ４、及びビームスプリッタ２などを介して受光素子としてのホトダイオード８に入射する。こうして、レーザダイオード１から発せられたレーザビームを用いて光ディスク７からデータを再生できるようにしている。
【００１６】
図１に加えて図２をも参照して、光ピックアップを具体的に説明する。
【００１７】
レーザビームの経路に配置されたビームスプリッタ２、コリメートレンズ４、立ち上げミラー５、及び対物レンズ６等の様々な光学素子を纏めて、ここでは光学系と呼ぶ。この光学系、レーザダイオード１、モニタ装置３、及びホトダイオード８は、装置筐体である光学ベース１０に保持される。光学ベース１０は光ディスクドライブに対しガイド穴１１を用いて移動可能に搭載される。レーザダイオード１は光学ベース１０のレーザダイオード取付部１２に固定される。
【００１８】
図３をも参照して、本発明に実施の形態に係る光ピックアップ用アクチュエータについて説明する。
【００１９】
この光ピックアップ用アクチュエータは図２の光ピックアップに備えられるものであり、光学ベース１０に固定されるアクチュエータベース２１を含んでいる。アクチュエータベース２１にはダンパベース２２が固定されている。アクチュエータベース２１とダンパベース２２とを合わせてベース部材と呼ぶ。
【００２０】
ダンパベース２２には、所定方向Ａ１にのびた導電性及びバネ剛性をもつ左右に２本ずつ合計４本のワイヤー２３ａ，２３ｂ，２３ｃ，及び２３ｄによってレンズホルダ２４が可動に支持されている。以下の説明では、ワイヤー２３ａをフォーカシングワイヤー、ワイヤー２３ｂをトラッキングワイヤー、ワイヤー２３ｃをチルティングワイヤー、ワイヤー２３ｄをグランドワイヤーと呼ぶこともある。
【００２１】
レンズホルダ２４には対物レンズ６が固定保持されている。ワイヤー２３ａ，２３ｂ，２３ｃ，及び２３ｄの各々の一端はダンパベース２２にクッション材を介して支持され、他端はレンズホルダ２４と一体の複数の突起２６の各々にクッション材を介して支持されている。こうして、所定方向Ａ１に概ね直交する対物レンズ６の光軸と平行なフォーカス方向Ａ２、フォーカス方向Ａ２に直交するトラック方向Ａ３、及び所定方向Ａ１にのびた所定軸心の回りのチルト方向Ａ４の各々において、これらのワイヤー２３ａ，２３ｂ，２３ｃ，及び２３ｄはレンズホルダ２４を可動に支持する。即ち、ワイヤー２３ａ，２３ｂ，２３ｃ，及び２３ｄはホルダ支持機構として働く。
【００２２】
レンズホルダ２４の中央の空所２７にはマグネット３１，３３が配されかつアクチュエータベース２１に固定されている。マグネット３１，３３はいずれも所定方向Ａ１において同じ向きに磁化され、ヨーク３４等を用いて互いに磁気的に結合されている。
【００２３】
さらに図４をも参照して、対物レンズ６の位置や角度の微調整について説明する。
【００２４】
レンズホルダ２４にはフォーカシングコイル３７が保持されている。フォーカシングコイル３７にはフォーカシングワイヤー２３ａが給電線として接続されている。フォーカシングコイル３７はフォーカシングワイヤー２３ａを通して給電され、直流通電時にマグネット３１，３３と協働してレンズホルダ２４にフォーカス方向Ａ２の移動力を与えるものである。したがって、フォーカシングコイル３７の通電を制御することにより、対物レンズ６の位置をフォーカス方向Ａ２で微調整できる。
【００２５】
レンズホルダ２４には、また、トラッキングコイル３８が保持されている。トラッキングコイル３８はマグネット３１，３３の間隔に挿入配置されている。トラッキングコイル３８にはトラッキングワイヤー２３ｂが給電線として接続されている。トラッキングコイル３８はトラッキングワイヤー２３ｂを通して給電され、直流通電時にマグネット３１，３３と協働してレンズホルダ２４にトラック方向Ａ３の移動力を与えるものである。したがって、トラッキングコイル３８の通電を制御することにより、対物レンズ６の位置をトラック方向Ａ３で微調整できる。
【００２６】
レンズホルダ２４には、また、チルティングコイル３９が保持されている。チルティングコイル３９にはチルティングワイヤー２３ｃが給電線として接続されている。チルティングコイル３９は、チルティングワイヤー２３ｃを通して給電され、直流通電時にマグネット３１，３３と協働してレンズホルダ２４にチルト方向Ａ４の回動力を与える。したがって、チルティングコイル３９の通電を制御することにより、対物レンズ６の向きをチルト方向Ａ４で微調整できる。
【００２７】
さらに、フォーカシングコイル３７、トラッキングコイル３８、及びチルティングコイル３９にはグランドワイヤー２３ｄが接続されている。即ち、グランドワイヤー２３ｄは、フォーカシングワイヤー２３ａ、トラッキングワイヤー２３ｂ、及びチルティングワイヤー２３ｃに対し共通のグランド線として接続されている。
【００２８】
上述した光ピックアップ用アクチュエータにおいて、マグネット３１，３３と、フォーカシングコイル３７と、トラッキングコイル３８と、チルティングコイル３９とが合わせて、レンズホルダ２４をアクチュエータベース２１に対して移動させる調整駆動装置を構成している。
【００２９】
【発明の効果】
以上説明したように、本発明によれば、ワイヤーの本数を減らして対物レンズの微調整に際する感度を高めるとともに部品数を削減して組立作業を容易にした光ピックアップ用アクチュエータを提供することができる。
【図面の簡単な説明】
【図１】光ピックアップの概要を説明するための説明図である。
【図２】図１の光ピックアップを具体的に示した斜視図である。
【図３】本発明の実施の形態に係る光ピックアップ用アクチュエータを一側から見た斜視図である。
【図４】図３の光ピックアップ用アクチュエータにおけるホルダ支持機構のワイヤーと調整駆動装置のコイルとの関係を説明するための説明図である。
【符号の説明】
１　レーザダイオード
２　ビームスプリッタ
３　モニタ装置
４　コリメートレンズ
５　立ち上げミラー
６　対物レンズ
７　光ディスク
８　ホトダイオード
１０　光学ベース
１１　ガイド穴
１２　レーザダイオード取付部
２１　アクチュエータベース
２２　ダンパベース
２３ａ　フォーカシングワイヤー
２３ｂ　トラッキングワイヤー
２３ｃ　チルティングワイヤー
２３ｄ　グランドワイヤー
２４　レンズホルダ
２６　突起
２７　空所
３１　マグネット
３３　マグネット
３４　ヨーク
３７　フォーカシングコイル
３８　トラッキングコイル
３９　チルティングコイル
Ａ１　所定方向
Ａ２　フォーカス方向
Ａ３　トラック方向
Ａ４　チルト方向
【図１】
2004005822.tif 000003
【図２】
2004005822.tif 000004
【図３】
2004005822.tif 000005
【図４】
2004005822.tif 000006